(57)【要約】【課題】複数の潤滑点にオイルエアを供給する場合にも簡易な構成で、且つ、オイルエア潤滑システム稼働中にもオイルエア配管の異常を検知できる、オイルエア潤滑システムの配管異常検知方法を提供する。【解決手段】潤滑油と圧縮空気を混合してオイルエアを生成し、圧縮空気の流れによって、オイルエアを、オイルエア配管の内壁に沿って潤滑点（軸受け箱Ｂ１〜Ｂ１０）まで搬送するオイルエア潤滑システム１において、圧縮空気の流量および圧力を測定し、流量に対する圧力の値を、予め測定した正常時と比較することにより、オイルエア配管１１、１２、２１〜３０の漏洩または閉塞の有無を検知する。【選択図】図１
2011220429.tif 000002
【特許請求の範囲】
【請求項１】
潤滑油と圧縮空気を混合してオイルエアを生成し、前記圧縮空気の流れによって、前記オイルエアを、オイルエア配管の内壁に沿って潤滑点まで搬送するオイルエア潤滑システムにおいて、
前記圧縮空気の流量および圧力を測定し、前記流量に対する前記圧力の値を、予め測定した正常時と比較することにより、前記オイルエア配管の漏洩または閉塞の有無を検知することを特徴とする、オイルエア潤滑システムの配管異常検知方法。
【請求項２】
前記流量は、オイルエアを生成する前の前記圧縮空気の流量を測定し、前記圧力は、オイルエア生成直後の前記オイルエアの圧力を測定することを特徴とする、請求項１に記載のオイルエア潤滑システムの配管異常検知方法。
【請求項３】
前記オイルエア配管の、前記潤滑点の直前に、オリフィスを設けることを特徴とする、請求項１または２に記載のオイルエア潤滑システムの配管異常検知方法。
【請求項４】
潤滑油と圧縮空気を混合してオイルエアを生成し、前記圧縮空気の流れによって、前記オイルエアを、オイルエア配管の内壁に沿って潤滑点まで搬送するオイルエア潤滑システムにおいて、
前記圧縮空気を供給するエア配管の、前記オイルエアを生成するオイルエア混合装置の手前に、前記圧縮空気の流量を測定する流量計が設けられ、
前記オイルエア混合装置の下流側の前記オイルエア配管から枝管を分岐させて、前記枝管に圧力計が設けられていることを特徴とする、オイルエア潤滑システムの配管異常検知装置。
【発明の詳細な説明】
【技術分野】
【０００１】
本発明は、潤滑油と圧縮空気を混合したオイルエアを軸受け等に供給する際、オイルエア配管の漏洩または閉塞の有無を検知するための、オイルエア潤滑システムの配管異常検知方法および配管異常検知装置に関するものである。
【背景技術】
【０００２】
従来、軸受け等を潤滑するために、潤滑油を圧縮空気によって搬送するオイルエア潤滑システムが用いられている。オイルエア潤滑システムは、潤滑油と圧縮空気とをオイルエア混合装置で混合してオイルエアを生成し、圧縮空気の流れによって、潤滑油を、配管の内壁に沿って潤滑点まで搬送する。オイルエア潤滑システムによれば、高粘度の潤滑油を搬送でき、さらに高速、低速、高温等の様々な用途に適用可能であり、例えば連続鋳造機の鋳片ガイドロールを支持する軸受けの潤滑等に用いられている。
【０００３】
このようなオイルエア潤滑システムにおいて、オイルエアを搬送する配管に閉塞や漏洩等の異常が発生すると、軸受け等の潤滑点まで潤滑油を搬送できなくなり、軸受けが破損する原因となる。そのため、配管異常を早期に発見できる配管異常検知システムが必要とされている。
【０００４】
例えば連続鋳造機のように、複数のガイドロールを１ユニットとするロールユニットを使用する場合には、軸受け単体や配管単体の補修は困難であり、ロールユニット単位での補修が実施される。また、ロールユニット単位の潤滑点数は数十点となり、各潤滑点ごとの異常検知は煩雑となるため、ロールユニット単位での配管異常を検出することが必要とされる。
【０００５】
例えば特許文献１には、軸受けの直前に逆止弁を設け、さらに逆止弁の上流に圧力計を設けて、オイルエア供給停止時の圧力変化を監視することで、配管異常の有無を検出する方法が開示されている。これは、オイルエア供給停止後の圧力低下が正常時よりも遅いときには閉塞、早いときには漏洩していると判断するものである。
【先行技術文献】
【特許文献】
【０００６】
【特許文献１】特開２００８−２４８９８２号公報
【発明の概要】
【発明が解決しようとする課題】
【０００７】
しかしながら、特許文献１に記載された検出方法は、軸受けの直前に圧力計を設ける必要があるため、複数のロールからなるロールユニットに供給する配管を監視するためには、それぞれのロールの軸受けの数だけ圧力計を設けなければならない。しかも、圧力計を設置するために枝管を設けており、この枝管で漏洩が起こると、オイルエアの供給能力が低下する。複数のロールの軸受けにオイルエアを供給する場合には、圧力計設置用の枝管も軸受けの数だけ設ける必要があり、枝管の数が多いと故障頻度も増加する懸念がある。さらに、連鋳機内の軸受けは高温多湿の環境にあるため、軸受け近辺に圧力計を設置した場合、圧力計の信頼性を担保できないという懸念がある。
【０００８】
さらに、特許文献１では、圧縮空気の流量の監視を行っていないので、オイルエア搬送用の圧縮空気の流量が変動したときの影響を考慮できない。そのため、オイルエア潤滑システムを使用している最中には、配管異常を検知できないという問題点がある。
【０００９】
本発明の目的は、複数の潤滑点にオイルエアを供給する場合にも簡易な構成で、且つ、オイルエア潤滑システム稼働中にもオイルエア配管の異常を検知できる、オイルエア潤滑システムの配管異常検知方法および配管異常検知装置を提供することにある。
【課題を解決するための手段】
【００１０】
上記問題を解決するため、本発明は、潤滑油と圧縮空気を混合してオイルエアを生成し、前記圧縮空気の流れによって、前記オイルエアを、オイルエア配管の内壁に沿って潤滑点まで搬送するオイルエア潤滑システムにおいて、前記圧縮空気の流量および圧力を測定し、前記流量に対する前記圧力の値を、予め測定した正常時と比較することにより、前記オイルエア配管の漏洩または閉塞の有無を検知することを特徴とするオイルエア潤滑システムの配管異常検知方法を提供する。
【００１１】
前記流量は、オイルエアを生成する前の前記圧縮空気の流量を測定し、前記圧力は、オイルエア生成直後の前記オイルエアの圧力を測定することが好ましい。また、前記オイルエア配管の、前記潤滑点の直前に、オリフィスを設けることが好ましい。
【００１２】
また、本発明は、潤滑油と圧縮空気を混合してオイルエアを生成し、前記圧縮空気の流れによって、前記オイルエアを、オイルエア配管の内壁に沿って潤滑点まで搬送するオイルエア潤滑システムにおいて、前記圧縮空気を供給するエア配管の、前記オイルエアを生成するオイルエア混合装置の手前に、前記圧縮空気の流量を測定する流量計が設けられ、前記オイルエア混合装置の下流側の前記オイルエア配管から枝管を分岐させて、前記枝管に圧力計が設けられていることを特徴とするオイルエア潤滑システムの配管異常検知装置を提供する。
【発明の効果】
【００１３】
本発明によれば、例えば複数のロールの軸受部にオイルエアを供給する場合でも、個々の軸受け毎に圧力計を設ける必要がなく、オイルエアを生成する圧縮空気の流量計および圧力計をそれぞれ設けるだけで済むので、例えばロールユニット毎に１組の流量計および圧力計を設ければよく、構成が単純であり無駄なコストを省くことができる。また、圧縮空気の流量と圧力との関係から配管異常の有無を判定するので、圧縮空気が流れているオイルエア潤滑システムの連続運転中に、配管異常の有無を検知することができる。
【図面の簡単な説明】
【００１４】
【図１】本発明にかかるオイルエア潤滑システムの構成例を示すブロック図である。
【図２】圧縮空気の流量と圧力との関係を示すグラフである。
【発明を実施するための形態】
【００１５】
以下、本発明の実施の形態を、図を参照して説明する。
【００１６】
図１は、本発明にかかるオイルエア潤滑システム１の構成例を示し、例えば１０個の軸受けにオイルエアを供給する場合の構成を示す。
【００１７】
オイルエア混合装置２に、圧縮空気および潤滑油が供給され、オイルエア混合装置２内で混合されて、オイルエアが生成される。圧縮空気をオイルエア混合装置２に供給するエア配管３の、オイルエア混合装置２の手前に、潤滑油と混合される前の圧縮空気の流量を測定する流量計４が設けられている。また、オイルエア混合装置２で生成されたオイルエアを搬送するオイルエア配管５の、オイルエア混合装置２の下流側に、枝管６が分岐して設けられ、枝管６の先端に圧力計７が設けられている。圧縮空気の圧力を測定する圧力計７は、オイルエア混合装置２内の圧力損失によってオイルエア配管５の圧力の増減を検知する精度が低下しないように、オイルエア混合装置２の下流側に設置される。
【００１８】
オイルエア配管５は、先端が分配器８に連結される。本実施形態では、分配器８から２つのオイルエア配管１１、１２に分かれて、それぞれのオイルエア配管１１、１２の先端が下流側分配器９、１０に連結される。さらに、各下流側分配器９、１０から、それぞれ５つのオイルエア配管２１〜２５、２６〜３０に分かれ、各５つずつのオイルエア配管２１〜２５、２６〜３０は、１０個のロールの軸受けがそれぞれ収容された軸受け箱Ｂ１〜Ｂ１０に連結される。すなわち、図１に示すオイルエア潤滑システム１では、計１０個のロールからなるロールユニットの、それぞれの軸受け箱Ｂ１〜Ｂ１０にオイルエアが供給される。本発明は、このように、複数に分岐されたオイルエア配管を有する場合に好適であり、図１の実施形態に限らず、３段階以上の分配器を有していてもよい。
【００１９】
なお、圧力計７は、オイルエア混合装置２の下流側であればよく、例えば図１に示すようにオイルエア混合装置２の直後に１台のみ設置し、複数のオイルエア配管の全てを１台の圧力計で監視してもよいし、分配器８よりも下流のオイルエア配管に設けてもよい。ただし、前述の通り、例えば連続鋳造機のように複数のガイドロールからなるロールユニットの場合、軸受け単体や配管単体の補修は困難であり、ロールユニット単位での補修が実施されるため、ロールユニット単位での配管異常が検出できればよい。そのため、個々の軸受けに対するオイルエア配管毎に圧力計を設ける必要はなく、ロールユニット毎に１台ずつ設ければよい。また、オイルエア配管全体を監視するためには、オイルエアが生成された直後に圧力計を設けることが好ましい。なお、ロールユニットは、例えば連続鋳造の鋳片ガイドロールの場合には、通常、５〜１０個のロールが２列、計１０〜２０個程度のロールから構成される。圧力計の検知精度を確保するためには、１台の圧力計に対して５０個以下のロールからなるロールユニットとすることが望ましい。
【００２０】
各軸受け箱Ｂ１〜Ｂ１０の手前に、オイルエア配管２１〜３０の圧力を増加させるためのオリフィス３１が設けられる。オリフィス３１は、なるべく軸受け箱Ｂ１〜Ｂ１０に近い直前の位置、すなわち軸受け箱Ｂ１〜Ｂ１０とオイルエア配管２１〜３０との接合部に設けることが好ましい。オリフィス３１を設けてオイルエア配管２１〜３０内の圧力を高くすることにより、異常時の圧力の変化が大きくなって圧力計７に伝わりやすく、圧力変化の検知精度が増す。
【００２１】
以上の構成を有するオイルエア潤滑システム１においては、連続運転を行いながら、流量計４で圧縮空気の流量を測定し、圧力計７で圧力を測定する。圧縮空気の流量に対する圧力値が、予め設定された正常時の値よりも高い場合には、当該ロールユニット内のオイルエア配管に閉塞があると判定する。また、圧縮空気の流量に対する圧力値が、予め設定された正常時の値よりも低い場合には、当該ロールユニット内のオイルエア配管でオイルエアが漏洩していると判定する。正常時との比較における異常の判定基準は、ロールユニットのロールの個数等により異なるが、例えば１０個のロールからなるロールユニットにオイルエアを供給する場合には、予め測定した正常時の平均流量に対する平均圧力の関係よりも５％以上高いあるいは少ない場合に、異常と判定することができる。このような流量と圧力値の判定は、オイルエア潤滑システムの稼働中に、例えば制御装置にオンラインでそれぞれのデータを送信し、リアルタイムで行うことができる。
【００２２】
本発明によれば、圧縮空気の流量を監視し、流量に対する圧力値で配管異常の有無を判定するので、オイルエア潤滑システムの稼働中に、圧縮空気の流量が変動しても、そのときの流量に対する圧力値から、配管異常の検知を行うことができる。なお、流量調整弁を用いて、圧縮空気の流量を一定に制御することにより、更に異常検知の精度を向上させることができる。
【００２３】
本発明では、複数のロールからなるロールユニット単位で、オイルエア配管の異常の有無を監視するため、従来よりも大幅に圧力計の個数を削減でき、簡易な構成で且つ低コストで実施できる。また、圧力計の設置個数を少なくすることにより、故障頻度が低下するという付帯効果が得られるうえ、圧力計設置のための枝管が少なくて済むので、枝管からの漏洩によるオイルエア供給能力の低下を防ぐこともできる。
【００２４】
以上、本発明の好適な実施形態について説明したが、本発明はかかる例に限定されない。当業者であれば、特許請求の範囲に記載された技術的思想の範疇内において、各種の変更例または修正例に想到しうることは明らかであり、それらについても当然に本発明の技術的範囲に属するものと了解される。
【実施例１】
【００２５】
図１に示すオイルエア潤滑システム１において、正常時、および１個所のオイルエア配管２１に漏洩または閉塞が生じた場合の、圧縮空気の流量と圧力との関係を測定した。結果を図２に示す。なお、軸受け箱は図１に示す通り１０個であり、軸受け箱直前のオイルエア配管はΦ６ｍｍ、オリフィス径はΦ２ｍｍである。
【００２６】
図２に示すように、圧縮空気の流量が２５Ｌ／ｍｉｎ、５０Ｌ／ｍｉｎ、１００Ｌ／ｍｉｎ、２００Ｌ／ｍｉｎのいずれの場合も、オイルエア配管の閉塞時には、正常時よりも圧力が高く検出され、漏洩時には、圧力が低く検出された。したがって、このデータを元に、同様のオイルエア潤滑システム１において、圧縮空気の流量と圧力を測定して正常時と比較することにより、オイルエア配管の異常の有無を判定できる。
【産業上の利用可能性】
【００２７】
本発明は、流体を搬送する配管の異常検知方法に適用できる。
【符号の説明】
【００２８】
１    オイルエア潤滑システム
２    オイルエア混合装置
３    エア配管
４    流量計
５、１１、１２、２１〜３０  オイルエア配管
６    枝管
７    圧力計
８、９、１０  分配器
３１  オリフィス
Ｂ１〜Ｂ１０  軸受け箱
【図１】
2011220429.tif 000003
【図２】
2011220429.tif 000004